(57)【特許請求の範囲】
【請求項１】
表示部及びバックグランド部を有する表示パネルと、
前記表示パネルに対して表示面側より光を照射し、前記バックグランド部を前記表示部の表示色と補色関係にある色で発光させる第１の光源と、
を備え、
前記表示部の照度と前記バックグランド部の照度の差（コントラスト）が低速時と高速時とにおいて異なる、メータ部表示システム。
【請求項２】
前記表示部が暖色系の色で表示され、前記バックグランド部が寒色系の色で発光される、請求項１に記載のメータ部表示システム。
【請求項３】
前記暖色系の色が橙系の色であり、前記寒色系の色が青系の色である、請求項２に記載のメータ部表示システム。
【請求項４】
前記第１の光源がＬＥＤからなる、請求項１〜３のいずれかに記載のメータ部表示システム。
【請求項５】
前記バックグランド部が蛍光体を含有し、前記第１の光源が該蛍光体を励起させる波長の光を放出する、請求項１〜４のいずれかに記載のメータ部表示システム。
【請求項６】
前記表示部がメータ針である、請求項１〜５のいずれかに記載のメータ部表示システム。
【請求項７】
前記表示部の照度と前記バックグランド部の照度の差（コントラスト）が車速の上昇に伴ってリニアに変化する、請求項１〜６のいずれかに記載のメータ部表示システム。
【発明の詳細な説明】
【０００１】
【産業上の利用分野】
本発明は、メータ部（メータ装置）の表示システムに関する。本発明は、自動車、電車、航空機等のメータ部に適用可能であり、特に、自動車のコンビネーションメータ等のメータ部に好適に適用される。
【０００２】
【従来の技術】
自動車のメータ部（コンビネーションメータ等）の視認性及び意匠性向上を目的として、表示パネル上の表示部（数字、目盛、各種警告表示、指針等）をそれぞれ所望の色で発光表示することが行われる。例えば、数字及び目盛を同系色で表示して統一感を出すとともに、異なる色で指針を表示して指針の視認度を高め、各警告表示についてはそれぞれが提示する情報に応じた色で表示するといった構成が採用されている。
【０００３】
【発明が解決しようとする課題】
上記のように表示パネルの表示部を発光表示させてメータ部の視認性等を向上させることが行われているが、表示パネルのバックグランド（表示部以外の部分）については、表示部の発光を際立たせるために照明をしない（即ち発光させない）のが一般的である。このような構成では、黒色のバックグランドに固有の発光色で表示部が表示されることとなる。バックグランドを白色系や赤色系の色で照明する構成も一部で採用されているが、このバックグランドの照明は主にデザイン性を考慮して行われるものであるため、デザイン性を優先するあまり表示部の視認性が却って低下する場合も生じていた。例えば、白色等の明色でバックグランドを照明し、メータ針に光を導入して発光させる構成が採用されているが、バックグランドが明色であるために両者のコントラストが小さく十分な視認性が得られていなかった。
一方で、高い安全性を確保するとともに、ユーザーからの高いデザイン性への要求を満足すべく、メータ部の視認性及び意匠性をさらに向上させることが望まれている。
本発明は上記の要望に応えるべく、視認性及び意匠性に優れたメータ部の表示システムを提供することを目的とする。
【０００４】
【課題を解決するための手段】
本発明は、以上の目的を達成すべくなされたものであり、以下の構成からなる。即ち、
表示部及びバックグランド部を有する表示パネルと、
前記表示パネルに対して表示面側より光を照射し、前記バックグランド部を前記表示部の表示色と補色関係にある色で発光させる第１の光源と、
を備えるメータ部表示システム、である。
【０００５】
かかる構成では、第１の光源により表示部のバックグランドが表示部の表示色と補色関係にある色で発光する。即ち、表示部が固有の表示色で表示されるとともに、そのバックグランドが表示部の表示色と補色関係にある光で発光する。表示部とバックグランドが補色関係の色で表示されることから互いの色が際立ち、これによって表示部の視認性は極めて高いものとなる。また、表示部のみならずバックグランド部も特定の色で発光して表示されることから、メータ部全体の意匠性が向上する。即ち、デザイン性においても極めて良好なメータ部の表示が行われる。
【０００６】
【発明の実施の形態】
表示パネルには表示部及びバックグランド部が備えられる。ここでの表示部は、メータ部において情報の提示に利用される数字、目盛、各種警告表示、及び指針等を含む。本明細書では、メータ針などの指針も表示パネルにおける表示部の一つとする。一方、バックグランド部とは、表示パネルの表示面（観測面）における表示部以外の部分を指す。例えば、数字、目盛、各種警告表示がそれぞれ固有の色で表示されるように一部に着色層を設けた文字板と、指針とを組み合わせて表示パネルを構成することができる。
【０００７】
表示パネルの表示面側（観測面側）には第１の光源が設置され、この光源より表示パネルに対して光が照射される。そして、当該光によって表示パネルのバックグランド部は表示部の表示色と補色関係にある光で発光される。ここでの補色とは、色相環で対向位置にある色のことをいう。例えば、赤色の補色は青色ないし緑色、黄色の補色は青ないし青紫色である。
補色関係にある色の中でも、表示部の表示色として暖色系の色を、他方バックグランドの発光色として寒色系（冷色系）の色を選択することが視認性向上の観点から好ましい。例えば、表示部を赤系、橙系、又は黄系の色で表示し、バックグランド部を青系、青緑系、又は緑系の色で発光させる。特に、表示部を橙系の色で表示し、バックグランド部を青系の色で発光させることが、視認性及びデザイン性の観点から好ましい。
尚、上記のように表示部には数字、目盛等が含まれ、これらの全てが同色で表示されるとは限らない。したがって、バックグランド部の発光色はデザイン性も考慮しつつ、バックグランド部との補色効果により視認性を高めたい表示部、即ちいずれかの表示部（複数の表示部が同色で表示される場合には当該複数の表示部）を基準として選択される。例えば、メータ針については特に高い視認性が要求されることから、メータ針を基準としてバックグランド部の発光色を選択することが好ましい。
【０００８】
第１の光源には、表示パネルの表示部の色と補色関係にある色でバックグランドを発光させることができる光源が採用される。例えば、このような補色関係にある色を直接放射する光源を第１の光源として用いることができる。また、第１の光源から放射する光、又は第１の光源からの光を受けてバックグランドから発光する光を色変換することにより、最終的に視認される光の色を表示部と補色関係にあるものとすることもできる。例えば、第１の光源と表示パネルとの間、又は表示パネルと乗員との間の位置に色変換層を設置することにより、このような色変換を行うことができる。また、表示パネルのバックグランド部に蛍光体を含有させ、第１の光源から当該蛍光体を励起可能な光を放射させれば、蛍光作用により所望の光を発光させることもできる。このような場合には、蛍光体の励起に適した紫外領域の光を発光可能な第１の光源が採用される。かかる構成によれば、第１の光源の光が直接視認されないか又は視認され難くなり、第１の光源の光の漏洩によって無用に周囲を照明することを防止できる。特に、第１の光源の光によって着色されることにより、表示部が本来の色と異なる色で表示されることを防止できる。但し、第１の光源からの光の一部を表示部の表示（着色）に利用することを妨げるものではない。
【０００９】
バックグランド部に蛍光体を含有させる場合における蛍光体の含有態様は特に限定されない。表示パネルのバックグランド部表面に蛍光体層を形成することにより、また、表示パネルの形成材料に蛍光体を直接混ぜ込むことなどにより、蛍光体を表示パネルのバックグランド部に含有させることができる。蛍光体の種類は、表示パネルのバックグランド部から発光する光の色が最終的に表示部の色と補色関係になるような蛍光色を有するものが採用される。
【００１０】
使用することができる蛍光体の種類は特に限定されず、公知のものを適宜選択して用いることができる。また、無機系、有機系を問わず採用することができる。尚、無機系の蛍光体を用いると艶消し感のある発光が得られる。他方、有機系の蛍光体を用いることによりクリアー感のある発光が得られる。
【００１１】
無機系蛍光体としては、以下のものを採用することができる。例えば、赤色系の蛍光色を有する６ＭｇＯ・Ａｓ2Ｏ5：Ｍｎ4+、Ｙ（ＰＶ）Ｏ4：Ｅｕ、ＣａＬａ0.1Ｅｕ0.9Ｇａ3Ｏ7、ＢａＹ0.9Ｓｍ0.1Ｇａ3Ｏ7、Ｃａ（Ｙ0.5Ｅｕ0.5）（Ｇａ0.5Ｉｎ0.5）3Ｏ7、Ｙ3Ｏ3：Ｅｕ、ＹＶＯ4：Ｅｕ、Ｙ2Ｏ2：Ｅｕ、３．５ＭｇＯ・０．５ＭｇＦ2ＧｅＯ2：Ｍｎ4+、及び（Ｙ・Ｃｄ）ＢＯ2：Ｅｕ等、青色系の蛍光色を有する（Ｂａ，Ｃａ，Ｍｇ）5（ＰＯ4）3Ｃｌ：Ｅｕ2+、（Ｂａ，Ｍｇ）2Ａｌ16Ｏ27：Ｅｕ2+、Ｂａ3ＭｇＳｉ2Ｏ8：Ｅｕ2+、ＢａＭｇ2Ａｌ16Ｏ27：Ｅｕ2+、（Ｓｒ，Ｃａ）10（ＰＯ4）6Ｃｌ2：Ｅｕ2+ 、（Ｓｒ，Ｃａ）10（ＰＯ4）6Ｃｌ2・ｎＢ2Ｏ3：Ｅｕ2+、Ｓｒ10（ＰＯ4）6Ｃｌ2：Ｅｕ2+、（Ｓｒ，Ｂａ，Ｃａ）5（ＰＯ4）3Ｃｌ：Ｅｕ2+、Ｓｒ2Ｐ2Ｏ7：Ｅｕ、Ｓｒ5（ＰＯ4）3Ｃｌ：Ｅｕ、（Ｓｒ，Ｃａ，Ｂａ）3（ＰＯ4）6Ｃｌ：Ｅｕ、ＳｒＯ・Ｐ2Ｏ5・Ｂ2Ｏ5：Ｅｕ、（ＢａＣａ）5（ＰＯ4）3Ｃｌ：Ｅｕ、ＳｒＬａ0.95Ｔｍ0.05Ｇａ3Ｏ7、ＺｎＳ：Ａｇ、ＧａＷＯ4、Ｙ2ＳｉＯ6：Ｃｅ、ＺｎＳ：Ａｇ，Ｇａ，Ｃｌ、Ｃａ2Ｂ4ＯＣｌ：Ｅｕ2+、ＢａＭｇＡｌ4Ｏ3：Ｅｕ2+、及び一般式（Ｍ１，Ｅｕ）10（ＰＯ4）6Ｃｌ2（Ｍ１は、Ｍｇ，Ｃａ，Ｓｒ，及びＢａからなる群から選択される少なくとも１種の元素）で表される蛍光体等、緑色系の蛍光色を有するＹ3Ａｌ5Ｏ12：Ｃｅ3+（ＹＡＧ）、Ｙ2ＳｉＯ5：Ｃｅ3+，Ｔｂ3+、Ｓｒ2Ｓｉ3Ｏ8・２ＳｒＣｌ2：Ｅｕ、ＢａＭｇ2Ａｌ16Ｏ27：Ｅｕ2+，Ｍｎ2+、ＺｎＳｉＯ4：Ｍｎ、Ｚｎ2ＳｉＯ4：Ｍｎ、ＬａＰＯ4：Ｔｂ、ＳｒＡｌ2Ｏ4：Ｅｕ、ＳｒＬａ0.2Ｔｂ0.8Ｇａ3Ｏ7、ＣａＹ0.9Ｐｒ0.1Ｇａ3Ｏ7、ＺｎＧｄ0.8Ｈｏ0.2Ｇａ3Ｏ7、ＳｒＬａ0.6Ｔｂ0.4Ａｌ3Ｏ7、ＺｎＳ：Ｃｕ，Ａｌ、（Ｚｎ，Ｃｄ）Ｓ：Ｃｕ，Ａｌ、ＺｎＳ：Ｃｕ，Ａｕ，Ａｌ、Ｚｎ2ＳｉＯ4：Ｍｎ、ＺｎＳｉＯ4：Ｍｎ、ＺｎＳ：Ａｇ，Ｃｕ、（Ｚｎ・Ｃｄ）Ｓ：Ｃｕ、ＺｎＳ：Ｃｕ、ＧｄＯＳ：Ｔｂ、ＬａＯＳ：Ｔｂ、ＹＳｉＯ4：Ｃｅ・Ｔｂ、ＺｎＧｅＯ4：Ｍｎ、ＧｅＭｇＡｌＯ：Ｔｂ、ＳｒＧａＳ：Ｅｕ2+、ＺｎＳ：Ｃｕ・Ｃｏ、ＭｇＯ・ｎＢ2Ｏ3：Ｇｅ，Ｔｂ、ＬａＯＢｒ：Ｔｂ，Ｔｍ、及びＬａ2Ｏ2Ｓ：Ｔｂ等を用いることができる。また、白色系の蛍光色を有するＹＶＯ4：Ｄｙ、黄色系の蛍光色を有するＣａＬｕ0.5Ｄｙ0.5Ｇａ3Ｏ7を用いることもできる。
【００１２】
有機系蛍光体としては、以下のものを採用することができる。例えば、1，4−ビス（２−メチルスチリル）ベンゼン（Ｂｉｓ−ＭＳＢ）、トランス−４，４’−ジフェニルスチルベン（ＤＰＳ）等のスチルベン系色素、及び７−ヒドロキシ−４−メチルクマリン（クマリン４）等のクマリン系色素、ＢＯＱＰ、ＰＢＢＯ、ＢＯＴ、ＰＯＰＯＰ等を用いることができる。これらの蛍光体は青色系の蛍光色を有する。また、ＤＰＯＴ、ブリリアントサルフォフラビンＦＦ（brilliantsulfoflavine FF）、ベーシックイエローＨＧ（basic yellow HG）、SINLOIHI COLOR FZ-5005（シンロイヒ社製）などを用いることもできる。これらの蛍光体は黄色系〜緑色系の蛍光色を有する。また、黄色系〜赤色系の蛍光体である、エオシン（eosine）、ローダミン６Ｇ（rhodamine 6G）、ローダミンＢ（rhodamine B）、NKP-8303（日本蛍光化学社製）などを用いることもできる。また、ＴＢ（ＥＤＴＡ）ＳＳＡ、ＥｕＴＴＡなどを例えばメチルメタクリレートに溶解、重合固化しポリメチルメタクリレート（ＰＭＭＡ）としたものを用いることもできる。尚、異なる種類の蛍光体を二以上組み合わせて用いることもできる。
【００１３】
表示部にも蛍光体を含有させ、表示部の表示を蛍光体からの蛍光を利用して行うこともできる。この場合には、例えば表示部に含有する蛍光体とバックグランド部に含有する蛍光体の蛍光色が補色関係にあるものが選択される。これにより、第１の光源からの光を受けて表示部及びバックグランド部がそれぞれ固有の蛍光体からの蛍光により表示され、両者の表示色は補色関係を有することとなる。
【００１４】
蛍光体を含有したバックグランド部を有する表示パネルは、例えば以下のように作製することができる。黒色系の樹脂等、光を透過しない材料を、表示部が打ち抜き的に形成されるように薄板状とする。そして表示部以外の表面に蛍光体を含有した層を形成する。このような層は、例えば、蛍光体を含有した塗料、樹脂等の塗布や、蛍光体を含有したテープ又はシートの貼着などにより形成される。
【００１５】
第１の光源の種類は特に限定されるものではなく、ＬＥＤ、バルブ等を用いることができる。ＬＥＤを採用することが以下の点から好ましい。ＬＥＤは小型であるためシステム全体の小型化が図れるからである。また、発熱量が小さいため、周囲の部材（例えば第１の光源が設置される部材など）への熱の影響を少なくすることができるといった利点も有する。さらには、駆動電力が小さく、また長寿命であるといった利点も有する。ＬＥＤの種類は特に限定されず、砲弾型、チップ型等、種々のタイプのＬＥＤを採用できる。小型化の観点から言えばチップ型ＬＥＤを採用することが好ましい。ＬＥＤとしては、例えばIII族窒化物系化合物半導体を材料として用いたものを挙げることができる。複数の光源を用い、これらを制御することにより発光色を変化させることも可能である。
【００１６】
第１の光源を複数用いることもできる。この場合、異なる種類、異なる発光色の光源を用いることができる。異なる発光色の光源を用いてこれらの点灯制御を行えば、バックグランド部を複数の色で発光させるといった発光態様が得られる。例えば、赤、緑、青の各色の発光素子を一つの基板上にマウントしたＬＥＤを用い、各発光素子の発光態様を制御すれば、所望の色でバックグランド部を発光させることができる。
【００１７】
可視領域及び紫外領域の光の両者を発光する光源を採用してもよい。かかる光源を用い、上記のように表示パネルのバックグランド部に蛍光体を含有させれば、紫外線領域の光によって蛍光体から発せられる蛍光と、光源自体の可視領域の光とが混色した光をバックグランド部から発光させることができる。また、バックグランド部の一部のみに蛍光体を含有させれば、当該箇所では蛍光体からの蛍光と光源の可視領域の光とが混色した光が観察され、他の箇所では光源の可視領域の光のみに起因する発光を得ることもできる。このように、バックグランド部の一部を異なる色に発光させることもでき、発光態様の一バリエーションとして利用することができる。
【００１８】
第１の光源の設置場所は、表示パネルに対して表示面側より光を照射できる限り特に限定されない。本発明が乗用車のメータ部に適用される場合を例に採れば、前方などからの光の入射を防止すべくメータ部を覆うようにして設けられるインパネ部分に第１の光源を設置することができる。
【００１９】
表示パネルの各表示部の表示は、第１の光源とは別個に設けられた第２の光源により行うことができる。例えば、第２の光源を表示パネルの背面側に設置し、第２の光源からの光を表示パネルに設けられた光学的な窓（例えば、貫通孔、光透過性樹脂からなる窓）から表示面側に取り出すことにより、各表示部を発光表示させる。
ここで、バックグランドの輝度よりも表示部の輝度が高くなるように両者の発光態様を調整することが好ましい。このようにすれば、表示部が一層強調されて表示され、その視認性が高められる。
【００２０】
【実施例】
以下、具体的な実施例を用いて本発明の構成について説明する。
図１は、本発明のメータ部表示システムを自動車のメータ部に適用した例を示す図であり、メータ装置５０が設置されるインパネ４０の断面態様が示される。図２は、メータ装置５０を構成する文字板（表示パネル）１０の正面図である。
【００２１】
本実施例のメータ部照明システムは、概略して文字板１０及び光源ユニット２０から構成される。図２に示すように、文字板１０には中央部に設けられたスピードメータ部１１、並びに温度計１７、燃料計１８、及び各種警告灯１９などが形成されている。スピードメータ部１１のバックグランド１２（スピードメータ針１３、目盛１４、数字・記号１５以外の領域）表面は白色系の色をしている。他方、文字板１０のスピードメータ部１１以外のバックグランド１６表面は黒色系の色をしている。このような文字板１０は、光透過性のパネルの表面に白色系塗料及び黒色系塗料による印刷を施して形成される。即ち、光透過性樹脂からなる薄板状のパネルを用意し、スピードメータ部１１が形成される領域に白色系の塗料を、その他の領域に黒色系の塗料を、各表示部（目盛１４、数字・記号１５、各種警告灯１９など）が打抜き的に残るよう印刷する。このようにして形成された文字板１０に、光透過性樹脂製のスピードメータ針１３などの指針が取り付けられる。
尚、スピードメータ部１１とそれ以外の部分とをそれぞれ白色系の材料及び黒色系の材料によって別体として作製することもできる。また、白色系の材料及び黒色系の材料を用いた２色成型によって一体的に文字板１０を作製してもよい。
【００２２】
文字板１０の背面側には、スピードメータ針１３、目盛１４などの各表示部を固有の色で発光させるために用いられる複数のＬＥＤをマウントした基板が設置される。本実施例では、スピードメータ針１３を発光させるために橙色系の発光色のＬＥＤが用いられる。また、目盛１４及び数字１５を発光させるために赤色系の発光色のＬＥＤが用いられる。その他の表示部（警告表示１９等）には、各表示部が表示する情報に適した色のＬＥＤ（例えば、給油灯、バッテリー灯などの警告表示では赤色又は橙色のＬＥＤ）が用いられる。
【００２３】
目盛１４、数字・記号１５等の表示部に蛍光体を含有させ、そして文字板１０の背面より蛍光体を励起可能な光を照射することにより、蛍光体から生ずる蛍光をもって各表示部を固有の色で発光表示させることもできる。スピードメータ針１３などの指針についても、その表面に蛍光体層を設けることや、蛍光体を含有する材料を用いて各指針を作製することにより、蛍光作用を利用して発光表示させることもできる。
【００２４】
光源ユニット２０は青色系のＬＥＤ２１を内蔵する。光源ユニット２０は、文字板１０に対して正面上方より光を照射できるように設置される。また、ＬＥＤ２１からの光がスピードメータ部１１の全体を照射するように照射範囲が設定される。尚、本実施例では文字板１０及び光源ユニット２０を組み付ける際の位置変動を考慮して、スピードメータ部１１よりも若干広い領域を照射するようにしている。
符号３０はメータ装置５０内に埃等が侵入するのを防止する目的で設けられる光透過性のカバーであって、文字板１０を覆うように設置される。
【００２５】
次に、表示態様を説明する。まず、車幅灯の点灯に連動して文字板１０背面に配置されたＬＥＤが点灯し、スピードメータ部１１のスピードメータ針１３、目盛１４、及び数字・記号１５が各表示色で発光する。即ち、スピードメータ針１３が橙系の色で、目盛１４及び数字・記号１５が赤系の色でそれぞれ発光表示される。同時に、光源ユニット２０のＬＥＤ２１が点灯してスピードメータ部１１に光を照射する。これにより、スピードメータ部１１のバックグランド部１２は青系の光で表示される。したがって、スピードメータ部１１では青系の色をバックにしてスピードメータ針１３が橙系の色で、目盛１４及び数字・記号１５が赤系の色でそれぞれ発光表示される。ここで、スピードメータ針１３の表示に用いられる橙色系の色とバックグランド部１２の青色系の色とは補色的関係にあるから、両者のコントラストは非常に高い。このハイコントラストによってスピードメータ針１３の視認度は極めて高くなる。同様に、目盛１４及び数字・記号１５の表示に用いられる赤系の色とバックグランド部１２の青系の色とは補色的関係にあることから、両者のコントラストは非常に高い。したがって、目盛１４及び数字・記号１５の視認性も極めて高くなる。
【００２６】
また、バックグランド部１２を発光させる色に青色系という所謂寒色系に属する色を配し、情報の提示（即ちスピードの表示）を行うスピードメータ針１３などを表示する色に橙系や赤系といった所謂暖色系の色を配したことにより、スピードメータ針１３などが一層引き立って表示され、その結果、効果的な情報の提示が行われる。
【００２７】
更に、スピードメータ部１１以外のバックグランド１６を黒色系の色で形成しているため、当該領域にＬＥＤ２１から放射された光が照射したとしてもほとんど観察されない。このことは、スピードメータ部１１を他の領域から際立たせて表示できることを意味し、また当該他の領域の意匠性を損ねることなく効果的な照明ないしは表示が行えることを意味する。
【００２８】
以上のように、スピードメータ部１１のスピードメータ針１３、目盛１４及び数字・記号１５がいずれもバックグランド部１２とハイコントラストに表示される。したがって、視認度の極めて高いスピードメータ表示が行われる。また、ハイコントラストな関係の色が配色された意匠が構成されるので、デザイン性にも優れたスピードメータ部の表示が行われる。
【００２９】
以上の実施例でスピードメータ針１３と目盛１４及び数字・記号１５とを異なる色で発光させる構成としたが、これらを同色で発光させてもよい。例えば橙系の色でこれら全てを発光させることができる。
更に、メータ針１３などの表示部とバックグランド部のコントラスト（照度差、明度差）を低速時と高速時、或いはタコメータの低回転時と高回転時において異なるようにすることもできる。具体的には、車速等が上がった時（例えば、１００km/hを超えた時や、タコメータがレッドゾーンに入った場合、レッドゾーンに入った状態が一定時間維持された場合など）に、バックグランド部１２の照度を低下させ、表示部とバックグランド部の照度対比（明度対比）を強調することができる。このようにすれば高速時などに表示部の視認性が更に向上し、例えばスピードが必要以上に出ている危険な状況を運転者に効果的に認識させることができる。バックグランド部１２の照度を低下させる代わりに表示部の照度を上昇させてもよい。勿論、バックグランド部１２の照度低下及び表示部の照度上昇を併用することもできる。
表示部とバックグランド部１２のコントラストの変化を車速の上昇に伴ってリニアに変化させることもできる。また、例えば２０ｋｍ、４０ｋｍ、６０ｋｍなど特定のスピードを超えたときに両者のコントラストが段階的に変化するようにしてもよい。
【００３０】
次に、本発明の他の実施例について説明する。図３は、当該他の実施例である表示システムの構成を示す図であって、メータ装置５１が設置されるインパネ部４１の断面態様が示される。当該実施例は、上記実施例とメータ部の構成が異なるものに本発明を適用した例である。尚、上記実施例と同一の部材には同一の符号を付してその説明を省略する。
この実施例では、カバー３１の外側（運転手側）に光源ユニット２０が設置される。したがって、光源ユニット２０から放射された光の一部はカバー３１によって運転手側に反射される。そこで、この反射光が運転手に直接視認されることがないように光源ユニット２０の取り付け位置及び照射範囲が設定されている。同様に、カバー３１の形状、位置等も設定される。
このように、本実施例では文字板１０に照射する光の範囲に加えて、カバー３１による反射を考慮した上で、光源ユニット２０の設置位置、照射範囲が設定される。これによって、上記の実施例と同様に文字板１０における視認性、意匠性が向上するといった効果が得られるとともに、光源ユニット２０からの光がカバー３１による反射を介して直接視認されることを防止できる。
【００３１】
この発明は、上記発明の実施の形態の説明に何ら限定されるものではない。特許請求の範囲の記載を逸脱せず、当業者が容易に想到できる範囲で種々の変形態様もこの発明に含まれる。
【００３２】
以下、次の事項を開示する。
１１．表示パネルの表示部を第１の色で表示させ、
第１の光源からの光を前記表示パネルに対して表示面側より照射し、該表示パネルのバックグランド部を前記第１の色と補色関係にある第２の色で発光させる、ことを特徴とするメータ部の表示方法。
１２．前記第１の色が暖色系の色であり、前記第２の色が寒色系の色である、１１に記載の表示方法。
１３．前記暖色系の色が橙系の色であり、前記寒色系の色が青系の色である、１２に記載の表示方法。
１４．前記第１の光源がＬＥＤからなる、１１〜１３のいずれかに記載の表示方法。
１５．前記バックグランド部が蛍光体を含有し、前記第１の光源が該蛍光体を励起して前記バックグランド部を前記第２の色で発光させる、１１〜１４のいずれかに記載の表示方法。
１６．前記表示部がメータ針である、１１〜１５のいずれかに記載の表示方法。
【図面の簡単な説明】
【図１】図１は本発明の一実施例である表示システムを示す図であり、自動車インパネ部４０の断面図である。
【図２】図２は文字板１０の正面図である。
【図３】図３は他の実施例の表示システムを示す図であり、自動車インパネ部４１の断面図である。
【符号の説明】
１０  文字板
１１  スピードメータ部
１２  スピードメータ部のバックグランド部
１３  スピードメータ針
２０  光源ユニット
２１  ＬＥＤ
３０  ３１  カバー
４０  ４１  インパネ
５０  ５１  メータ装置
【図１】
0003786033.tif 000002
【図２】
0003786033.tif 000003
【図３】
0003786033.tif 000004